(57)【要約】【課題】分かりやすさおよび管理のしやすさが高められた報知装置を提供する。【解決手段】コントローラ２０は、入力インターフェースとして用いられる入出力ポートＩ／Ｏ０１〜Ｉ／Ｏ０９と、ＲＡＭおよびＲＯＭからなる記憶部２４と、ＣＰＵ２２と、出力インターフェースとして用いられる入出力ポートＩ／Ｏ１０〜Ｉ／Ｏ１６およびモニタ出力ポートを備えている。また、コントローラ２０は、ＬＡＮ通信を行うためのＥＴＨＥＲＮＥＴ２５入力／出力ポートも備えている。ＣＰＵ２２は、入出力ポートＩ／Ｏ０１〜Ｉ／Ｏ０９およびＥＴＨＥＲＮＥＴ２５ポートを介して入出される複数の報知情報を記憶部２４内の対応テーブルに対して入力し、対応テーブル内に入力された複数の報知情報をあてはめた画像情報を算出する。コントローラ２０は、この算出した画像情報を表示させるための信号を表示装置２６に対して出力する。【選択図】図１
2015144388.tif 000002
【特許請求の範囲】
【請求項１】
互いに異なる複数の報知情報が入力される入力インターフェースと、
表示画面上における互いに異なる複数の表示位置と入力された複数の情報との間の対応関係を定めた対応情報を記憶した記憶部と、
前記入力インターフェースからの前記複数の報知情報を前記対応情報に対して入力し、前記複数の表示位置に前記複数の報知情報をあてはめた画像を算出する演算部と、
表示装置に前記画像を表示させるための信号を出力する出力インターフェースと、
を備える報知装置。
【請求項２】
前記出力インターフェースが、複数の電気機器と接続し、
前記記憶部が、前記複数の電気機器を登録可能でありかつ前記複数の報知情報の報知先を前記複数の電気機器にそれぞれ指定可能な機器登録リストを記憶し、
前記演算部が、前記入力インターフェースからの前記複数の報知情報に応じた報知を前記機器登録リストで指定した電気機器に行わせるための信号である登録報知信号を出力する請求項１に記載の報知装置。
【請求項３】
前記出力インターフェースが、複数の電気機器と接続し、
人がいる可能性の高い場所の情報を取得する場所情報取得手段を備え、
前記演算部が、前記複数の電気機器のうち前記場所情報取得手段で取得した人がいる可能性の高い場所の周辺に設けられた電気機器に対して優先的に前記報知情報を報知するための選択報知信号を出力する請求項１または２に記載の報知装置。
【請求項４】
前記場所情報取得手段は、前記複数の電気機器と接続した電力マネジメントコントローラから前記複数の電気機器の使用状況を取得する手段を含み、
前記演算部が、前記使用状況に基づいて選択した前記電気機器に対して優先的に前記選択報知信号を出力する請求項３に記載の報知装置。
【請求項５】
前記複数の電気機器は、異なる場所に設けられた複数の照明器具を含み、
前記演算部が、前記複数の照明器具の使用状況に基づいて前記電気機器の選択を行う請求項３または４に記載の報知装置。
【請求項６】
前記出力インターフェースが、電気機器と接続し、
前記記憶部は、前記複数の報知情報を複数のグループに区別して互いに異なる優先順位をつけて登録可能な優先レベル別登録リストを記憶し、
前記演算部は、前記入力インターフェースに前記複数の報知情報が入力されると、前記優先順位ごとに互いに異なる報知信号である優先レベル別報知信号を出力する請求項１〜５のいずれか１項に記載の報知装置。
【請求項７】
前記報知情報は、介護機器または呼出用インターフェースにおいて呼出操作があったことを伝える情報を含み、
前記出力インターフェースが、通信電気機器と接続し、
前記記憶部は、伝言情報を記憶し、かつ連絡先を登録する連絡先登録リストを記憶し、
前記演算部は、前記呼出操作があったときには前記連絡先登録リストに登録した連絡先に前記伝言情報を送信するように前記通信電気機器に信号を出力する請求項１〜６のいずれか１項に記載の報知装置。
【請求項８】
前記出力インターフェースが、電気機器と接続し、
前記複数の報知情報は、電話回線またはインターネットを介して伝達される帰宅情報を含み、
前記演算部は、前記入力インターフェースを介して前記帰宅情報を受信したら、前記電気機器に対して動作開始命令を発する請求項１〜７のいずれか１項に記載の報知装置。
【請求項９】
前記複数の電気機器は、照明器具を含み、
前記動作開始命令は、前記照明器具をオンする命令である請求項８に記載の報知装置。
【請求項１０】
前記出力インターフェースが、通信電気機器と接続し、
前記演算部は、前記報知情報を移動体に乗っている人に対して表示するための信号である報知信号を前記移動体に設けられたコントローラへ送信するように、前記通信電気機器に信号を出力する請求項１〜９のいずれか１項に記載の報知装置。
【請求項１１】
前記演算部は、点検信号が入力されたら、前記複数の報知情報が入力されていないときであっても擬似的に前記報知情報の入力があったときの処理を実行する請求項１〜１０のいずれか１項に記載の報知装置。
【請求項１２】
前記複数の電気機器は、照明器具を含み、
前記演算部は、前記照明器具の点滅を行うことによりまたは前記照明器具点灯中の明るさを上げ下げする明減を行うことにより、前記報知情報の報知を行う請求項１〜１１のいずれか１項に記載の報知装置。
【請求項１３】
互いに異なる複数の報知情報が入力される入力インターフェースと、
複数の電気機器と接続した出力インターフェースと、
前記複数の電気機器を登録可能でありかつ前記複数の報知情報の報知先を前記複数の電気機器にそれぞれ指定可能な機器登録リストを記憶した記憶部と、
前記入力インターフェースからの前記複数の報知情報に応じた報知を前記機器登録リストで指定した電気機器に行わせるための信号である登録報知信号を前記電気機器に出力する演算部と、
を備える報知装置。
【請求項１４】
互いに異なる複数の報知情報が入力される入力インターフェースと、
複数の電気機器と接続した出力インターフェースと、
人がいる可能性の高い場所の情報を取得する場所情報取得手段と、
前記複数の電気機器のうち前記場所情報取得手段で取得した人がいる可能性の高い場所の周辺に設けられた電気機器に対して優先的に前記報知情報を報知するための信号を出力する演算部と、
を備える報知装置。
【請求項１５】
互いに異なる複数の報知情報が入力される入力インターフェースと、
電気機器と接続した出力インターフェースと、
前記複数の報知情報を複数のグループに区別して互いに異なる優先順位をつけて登録可能な優先レベル別登録リストを記憶した記憶部と、
前記入力インターフェースに前記複数の報知情報が入力されると、前記優先順位ごとに互いに異なる報知信号である優先レベル別報知信号を前記電気機器に出力する演算部と、
を備える報知装置。
【請求項１６】
介護機器または呼出用インターフェースにおいて呼出操作があったことを伝える情報が入力される入力インターフェースと、
通信電気機器と接続した出力インターフェースと、
伝言情報を記憶し、かつ連絡先を登録する連絡先登録リストを記憶した記憶部と、
前記呼出操作があったときには前記連絡先登録リストに登録した連絡先に前記伝言情報を送信するように前記通信電気機器に信号を出力する演算部と、
を備える報知装置。
【請求項１７】
電話回線またはインターネットを介して伝達される帰宅情報が入力される入力インターフェースと、
電気機器と接続した出力インターフェースと、
前記入力インターフェースを介して前記帰宅情報を受信したら、前記電気機器に対して動作開始命令を発する演算部と、
を備える報知装置。
【請求項１８】
互いに異なる複数の報知情報が入力される入力インターフェースと、
通信電気機器と接続した出力インターフェースと、
前記報知情報を移動体に乗っている人に対して報知するための信号である報知信号を前記移動体に設けられたコントローラへ送信するように、前記通信電気機器に信号を出力する演算部と、
を備える報知装置。
【発明の詳細な説明】
【技術分野】
【０００１】
本発明は、報知装置に関する。
【背景技術】
【０００２】
従来、下記の特許文献に記載されているように、火災、自然災害、不在時の来客など様々な場面でユーザへの報知を行う報知装置が知られている。
【先行技術文献】
【特許文献】
【０００３】
【特許文献１】特開２０１３−８６５８号公報
【特許文献２】特許第５００１４６８号公報
【特許文献３】国際公開２０１２／１７６３２９号公報
【特許文献４】特開２０１２−４８６３２号公報
【特許文献５】特開２００８−２０４３９３号公報
【特許文献６】特開２００１−５２８８１号公報
【特許文献７】特開２００３−３０９６６２号公報
【特許文献８】特許第５２４２９３５号公報
【特許文献９】特開２０１３−６９０８１号公報
【特許文献１０】特開２０１３−４７９４２号公報
【特許文献１１】特開２０１３−４７９４１号公報
【特許文献１２】特開２０１３−４７９３９号公報
【特許文献１３】特開２０１３−２９９４４号公報
【特許文献１４】特許第４８５４１７９号公報
【特許文献１５】特許第５１３００９２号公報
【特許文献１６】特許第４９８８２６５号公報
【特許文献１７】特許第４６３９５３４号公報
【特許文献１８】特開２００２−３００２９５号公報
【特許文献１９】特開平１０−７９７８７号公報
【発明の概要】
【発明が解決しようとする課題】
【０００４】
近年ではユーザに対して報知すべき報知情報の数が増加傾向にあり、またその種類も様々である。従来、ユーザはこれらの報知情報を複数の異なる情報伝達経路から受け取っており、状況が分かりにくく管理もしにくいという問題があった。
【０００５】
本発明は、上述のような課題を解決するためになされたもので、複数の報知情報を受け取るユーザにとって分かりやすさおよび管理のしやすさが高められた報知装置を提供することを目的とする。
【課題を解決するための手段】
【０００６】
本発明にかかる報知装置は、互いに異なる複数の報知情報が入力される入力インターフェースと、表示画面上における互いに異なる複数の表示位置と入力された複数の情報との間の対応関係を定めた対応情報を記憶した記憶部と、前記入力インターフェースからの前記複数の報知情報を前記対応情報に対して入力し、前記複数の表示位置に前記複数の報知情報をあてはめた画像情報を算出する演算部と、表示装置に前記画像情報を表示させるための信号を出力する出力インターフェースと、を備える。
【発明の効果】
【０００７】
本発明によれば、互いに異なる複数の報知情報を同じ表示装置にまとめて一覧表示することができるので、分かりやすさおよび管理のしやすさを高めることができる。
【図面の簡単な説明】
【０００８】
【図１】本発明の実施の形態にかかる報知装置を示す図である。
【図２】本発明の実施の形態にかかる表示装置に表示される画像を示す図である。
【図３】本発明の実施の形態にかかる報知装置を示す図である。
【発明を実施するための形態】
【０００９】
図１は、本発明の実施の形態にかかる報知装置を示すブロック図である。実施の形態にかかる報知装置は、コントローラ２０の一機能として提供される。コントローラ２０は、さまざまな家電機器に搭載されうるものであり、具体的は照明器具内に搭載されてもよい。コントローラ２０は、入力インターフェースとして用いられる入出力ポートＩ／Ｏ０１〜Ｉ／Ｏ０９と、ＲＡＭおよびＲＯＭからなる記憶部２４と、ＣＰＵ２２と、出力インターフェースとして用いられる入出力ポートＩ／Ｏ１０〜Ｉ／Ｏ１６およびモニタ出力ポートを備えている。また、コントローラ２０は、ＬＡＮ通信を行うためのＥＴＨＥＲＮＥＴ（登録商標）２５の入力／出力ポートも備えている。後述するように、入出力ポートＩ／Ｏ０１〜Ｉ／Ｏ１６およびＥＴＨＥＲＮＥＴ２５の入力／出力ポートには様々な電気機器が接続される。この接続は、有線接続であっても無線接続であってもよい。
【００１０】
入出力ポートＩ／Ｏ０１〜Ｉ／Ｏ０９には、複数の報知情報が入力される。報知情報とは、何らかの情報を知らせるために発信される情報であり、災害および安全などに関する警報、荷物の配達などに関するお知らせ、電話、天気に関する情報、ＨＥＭＳ（home energy management system）あるいは建物内のエネルギー管理システムの持つ電力情報、その他の人間の活動に関する様々な情報が含まれる。具体的には、コントローラ２０のＥＴＨＥＲＮＥＴ２５の入力ポートには、ＬＡＮ４６を介してＨＥＭＳコントローラ３１からの情報が入力される。ＨＥＭＳコントローラ３１は、家屋に設けられた家庭用電気機器のそれぞれの電力消費量を個別に検知するプログラムを内蔵している。家庭用電気機器として、典型的には、照明器具、掃除機、給湯器、調理器、人の存在を感知可能な人感センサ、冷暖房機器、保温便座がある。
【００１１】
なお、本発明は一般家庭の家屋のみを対象とするものではなく、集合住宅に対しても適用されても良く、商業施設、工業施設、公共施設、その他の各種施設に対して適用されても良い。
【００１２】
コントローラ２０のＥＴＨＥＲＮＥＴ２５の入力ポートには、ＬＡＮ４６からさらにインターネット４５を介して緊急地震速報３２、配達のお知らせを通知するサーバ３３、および災害警報を発令するサーバ３４からの電子メールおよびＷｅｂ上の各種電子情報が入力される。サーバ３４は、複数のサーバをまとめて表示しており、火災、地震、台風、大雨、大雪その他の各種の天災および人災を通報する各省庁または情報機関の運営するサーバが含まれる。また、入出力ポートＩ／Ｏ０１〜Ｉ／Ｏ０９には、ガス感知器３５、火災報知機３６、進入警報機３７、呼出用ボタン３８、インターホン３９、介護機器４０、雨感知器４１、携帯電話４２、漏電警報機（又はブレーカ）４４とそれぞれ接続している。固定電話４３は、モデム４７を介してＬＡＮ４６に接続しており、固定電話４３からの着信はＥＴＨＥＲＮＥＴ２５の入力ポートへと伝達されるようになっている。
【００１３】
記憶部２４は、入出力ポートＩ／Ｏ０１〜Ｉ／Ｏ０９と接続した電気機器を登録した入力機器リスト、入出力ポートＩ／Ｏ１０〜Ｉ／Ｏ１６と接続しておりコントローラ２０からの出力信号を伝達すべき出力機器リスト、設定内容ファイル、内部情報を出力機器リスト上の電気機器に伝達するための出力信号を生成する出力シーケンス、連絡先リスト（典型的には送受信メールアドレスおよび自動発信電話番号など）、自動応答音声データ、ＨＥＭＳ通信ソフトなどの各種プログラムおよびデータを記憶している。
【００１４】
ＥＴＨＥＲＮＥＴ２５の出力ポートは、ＬＡＮ４６と接続している。ＬＡＮ４６は、インターネット４５と接続するとともに、ＨＥＭＳコントローラ３１とも接続している。入出力ポートＩ／Ｏ１０〜Ｉ／Ｏ１６には、テレビ６８、照明器具６９、オーディオ７０、スピーカ７１、警報機７２、スプリンクラー７３、およびインターホン３９に接続しており、これらに報知信号を供給する。報知信号を受けると、テレビ６８が画面に警告マークを表示したり、照明器具６９が所定の点滅モードで点滅したり、オーディオ７０、スピーカ７１、警報機７２が所定の警報音を発したり、スプリンクラー７３およびインターホン３９が作動したりする。
【００１５】
上述したように、記憶部２４は、入力機器リストおよび出力機器リストを記憶しており、これらは複数の電気機器を登録可能である書換可能な機器登録リストである。ＣＰＵ２２は、出力機器リストおよび出力シーケンスを用いて、入力された報知情報に応じた報知を出力機器リストの電気機器（インターホン３９、テレビ６８〜スプリンクラー７３）に行わせるための信号を生成し、入出力ポートＩ／Ｏ１０〜Ｉ／Ｏ１６から出力する。
【００１６】
また、コントローラ２０がＥＴＨＥＲＮＥＴ２５の出力ポートから出力した信号は、ＬＡＮ４６およびインターネット４５を介して、携帯電話６１、自動車あるいはバイクである移動体６２が備える電気機器に伝達されるように設定されている。また、モデム６３を介して、警備会社、警察、消防その他の各種サーバ６４への通報が可能となっている。モデム６３を介して、記憶部２４内の自動発信電話番号にリスト化された指定電話番号に対応する指定電話機６５に発信することもできる。携帯電話６１、移動体６２、各種サーバ６４、指定電話機６５も、出力機器リストに登録されている。ＣＰＵ２２は、出力機器リストおよび出力シーケンスを用いて、入力された報知情報に応じた報知を出力機器リストの電気機器に行わせるための信号を生成し、ＥＴＨＥＲＮＥＴ２５の出力ポートから出力する。なお、これらの電気機器とコントローラ２０との間の通信が確立された場合に、コントローラ２０は、記憶部２４内の自動応答音声データのうち入力された報知情報と予め対応付けられた通報用メッセージを出力してもよい。
【００１７】
（報知情報の一覧表示）
図２は、本発明の実施の形態にかかる表示装置２６に表示される画像を示す図である。表示装置２６は、デスクトップパソコン、ノートパソコン、タブレット型パソコン、および携帯端末などのモニタあるいはテレビであり、コントローラ２０は無線式又は有線式のモニタ出力ポートを介して表示装置２６と接続している。記憶部２４は、受け取った報知情報を表示装置２６で一覧表示するための対応テーブルを記憶している。この対応テーブルは、表示装置２６の表示画面上における互いに異なる複数の表示位置と入出力ポートＩ／Ｏ０１〜Ｉ／Ｏ０９にそれぞれ入力された情報との間の対応関係を定めたものである。ＣＰＵ２２は、入出力ポートＩ／Ｏ０１〜Ｉ／Ｏ０９およびＥＴＨＥＲＮＥＴ２５のポートを介して入出される複数の報知情報を記憶部２４内の対応テーブルに対して入力し、対応テーブル内に入力された複数の報知情報をあてはめた画像情報を算出する。コントローラ２０は、この算出した画像情報を表示させるための信号を表示装置２６に対して出力する。図２に示すように、互いに異なる報知情報をまとめて一覧表示することができる。図２では、一例として火災報知機３６からの火災報知信号があった場合の画像が図示されており、火災報知機に関する欄のみが黒丸で表示されて目立つようになっている。図２では便宜上入力機器リストに登録された電気機器のうち一部についてのみの報知情報を列挙しているが、好ましくは、全ての報知情報をまとめて一覧表示できるようにしても良い。
【００１８】
互いに異なる複数の報知情報を、同じ表示装置にまとめて一覧表示することで、個々の電気機器が報知のためのユーザーインターフェースを持つ必要がなくなり、ユーザーインターフェースを１つにまとめることができる。報知に関する処理をコントローラ２０に集約しているので、非常時の電源管理およびデータバックアップはコントローラ２０のみに対して行えばよく、バックアップシステムが簡素化される。１つのコントローラ２０で入出力情報をまとめて管理し、ＨＥＭＳコントローラ３１〜スプリンクラー７３の動作を制御するので、システムそのものが簡素化される。
【００１９】
（報知先および報知動作の指定）
コントローラ２０の記憶部２４に記憶した設定ファイルには、互いに異なる複数の報知情報の報知先を複数の電気機器にそれぞれ指定するための情報を書き込むことができる。さらに、本実施の形態では、報知先の指定に加えて、報知時に利用する電気機器がどのように作動するかについても設定できるようになっている。図２に示すように表示装置２６には縦方向に列挙した複数の報知情報に対して横方向に報知先および報知動作がそれぞれ列挙して表示されており、ユーザは表示装置２６の画面を見ながら図示しないユーザインターフェースを用いてこれらの設定を変更できる。図２に示すように、例えば「火災報知機」からの報知情報をコントローラ２０が受信したときには、照明器具６９が点灯中および消灯中に点滅し、警報機７２が作動し、ＬＡＮ４６、インターネット４５、モデム６３を経由して警備会社のサーバ６４への連絡が行われ、スピーカ７１は警告音を発し、携帯電話６１に向けて通話発信およびメール送信がなされ、ＨＥＭＳコントローラ３１に火災報知信号が伝達される。これにより、互いに異なる複数の報知情報を、指定した電気機器を通じて、指定した報知動作で、ユーザに伝達することができる。これにより、高齢者など情報機器の操作に不慣れなユーザでも、希望とする報知動作を自由に指定および使用することができる。
【００２０】
（人のいる場所への選択的報知）
記憶部２４には場所情報取得プログラムが記憶されており、コントローラ２０はこのプログラムを実行することで人がいる場所を推定する。具体的には、この場所情報取得プログラムは、ＨＥＭＳコントローラ３１から電気機器それぞれの使用状況（たとえば消費電力量）を受信し、その使用状況に基づいて人がいる場所を推定する。典型的には、掃除機の作動中には通常は家人がその掃除機を持って掃除中である可能性が高く、調理器の作動中には通常は家人がその調理器の周辺で料理中である可能性が高い。その一方で、例えば洗濯機の作動中であっても家人は洗濯機の近くにはいない可能性が高い。このように、使用されている電気機器の種類に基づいて人の場所を推定することができる。なお、使用状況に電力消費量を含めてもよく、典型的には冷暖房機器や照明器具の電力消費量が多いほどそれらが取り付けられた部屋に人がいる可能性が高いと判断しても良い。使用者がその電気機器の近くにいる状態でオンオフや電力消費量が異なる電気機器として、典型的には、本実施の形態でＨＥＭＳコントローラ３１と接続している照明器具、掃除機、給湯器、調理器、冷暖房機器、保温便座がある。これにより電力マネジメントコントローラの情報を利用して人がいる可能性を判断することができる。例えば複数の部屋に照明器具６９が設けられている場合に、部屋ごとの照明器具６９の使用状況に基づいて人がいる可能性を判断しても良く、部屋ごとの照明器具６９の電力消費量の合計値が高いほどその部屋に人がいる可能性が高いと推定してもよい。
【００２１】
本実施の形態では、人の存在を感知可能な人感センサが家屋に設けられており、この人感センサの出力信号もコントローラ２０に入力される。場所情報取得プログラムは、人感センサが人を感知したときは、その人感センサ取り付け場所に人がいると推定する。
【００２２】
ＣＰＵ２２は、出力機器リスト内の電気機器のうち、場所情報取得プログラムで取得した「人がいる可能性の高い場所」の周辺に設けられた電気機器に対して、ＥＴＨＥＲＮＥＴ２５の出力ポートおよび入出力ポートＩ／Ｏ０１〜Ｉ／Ｏ１６を介して報知信号を出力する。報知信号を受けたそれぞれの電気機器は、設定ファイルにおいて予め設定された報知動作を行う。これにより、人がいる可能性の高い場所の電気機器を優先的に用いて報知を行うことができる。なお、「優先的」とは、例えば、人がいる可能性が一定以上高い場所の電気機器のみを選択して報知動作を行わせてもよく、例えば複数の部屋に照明器具６９が設けられている場合には人がいる可能性が一定以上高い場所の照明器具６９のみを点滅或いは明減点灯させてもよい。或いは、人がいる可能性が高い場所と低い場所とで電気機器の報知動作の強度に差をつけてもよく、具体的には人がいる可能性が高いほど照明器具６９の点滅強度あるいはオーディオ７０の音量などの電気機器の作動量を大きくしてもよい。
【００２３】
（優先順位に基づく報知）
記憶部２４の設定ファイルには、複数の報知情報を複数のグループに区別して互いに異なる優先順位をつけて登録可能な優先レベル別登録リストが含まれている。ＣＰＵ２２は、入出力ポートＩ／Ｏ０１〜Ｉ／Ｏ０９を経由して複数の報知情報が入力されると、優先順位ごとに互いに異なる報知信号を出力する。これにより異なる報知情報に優先順位をつけて、緊急性の高低に応じて異なる報知を行うことができる。具体的には、実施の形態では、インターネット４５を経由してサーバ３４から取得される警報のうち、特に緊急性の高い特別警報とそれ以外の警報とで、報知先および報知動作を相違させる。例えば、図２に示した設定では、特別警報の場合には照明器具６９が消灯中でも自動的に点灯させて明減点灯を開始し、それ以外の警報の場合には消灯中であれば報知動作を行わない。これにより特別警報があったときには就寝中などで照明器具６９を消灯しているときでも報知を行うことができる。なお、優先順位は実施の形態のように２種類に限られず、３段階以上の複数の優先順位で分けても良い。実施の形態では警報のみに優先順位をつけたが、本発明はこれに限られない。ＨＥＭＳコントローラ３１〜漏電警報機４４からそれぞれ入力される互いに異なる報知情報それぞれに優先順位を設定してもよい。なお、優先順位の高い報知情報は「割込報知」を行ってもよい。割込報知とは、電気機器の使用状況にかかわらずその電気機器で報知をするという動作であり、典型的には携帯電話６１が通話中であってもその通話に割り込んで緊急性の高い災害警報を流すなどの動作である。
【００２４】
（介護等の場面での呼出報知）
コントローラ２０は、介護機器４０の呼出操作または呼出用ボタン３８が押されたときには、その操作を示す信号が報知情報としてコントローラ２０に入力される。記憶部２４は、自動応答音声データを記憶し、かつ連絡先を登録する連絡先登録リストを記憶している。記憶部２４が記憶する伝言情報は、音声、テキスト、静止画または動画であってもよい。連絡先登録リストは、例えば、送受信メールアドレス、自動発信電話番号、ＩＰ電話の連絡先ＩＤなどである。ＣＰＵ２２は、上記の操作を示す信号がコントローラ２０に入力されたら、連絡先登録リストの連絡先に上記の伝言情報を送信する。これにより、連絡が必要なとき、登録連絡先に自動的に伝言を送ることができる。緊急時の呼び出しが必要なとき、呼出者が通話やメール文章入力を行うことが困難な状況におかれていても、速やかに登録連絡先に伝言を送ることができる。
【００２５】
（防犯用報知）
複数の報知情報は、電話回線またはインターネットを介して伝達される帰宅情報を含んでいる。「帰宅情報」は、携帯電話、固定電話またはＰＨＳを介して帰宅を連絡するいわゆる「帰るコール」であってもよい。留守中に、予め設定した帰宅通知用連絡先に連絡があったときにこの連絡を帰宅情報として取り扱ってもよい。ＣＰＵ２２は、留守中にユーザから自宅の固定電話４３への着信があったら、ＥＴＨＥＲＮＥＴ２５の出力ポートおよび入出力ポートＩ／Ｏ１０〜Ｉ／Ｏ１６を介して、ＨＥＭＳコントローラ３１〜スプリンクラー７３に対して動作開始命令を発する。これにより、空き巣に狙われることを防いだり、いわゆる出くわし強盗に遭遇する危険性を減らしたりすることができる。典型的には、コントローラ２０は、帰宅情報を受信したら照明器具６９をオンして点灯させるようにしてもよい。
【００２６】
（自動車などとの通信）
コントローラ２０において、ＣＰＵ２２は、ユーザの自家用車である移動体６２とインターネット４５を介して無線通信が可能とされていてもよい。典型的には、移動体６２のカーナビゲーション装置内の制御装置などが含まれる。移動体６２の車載ネットワークであるいわゆるＣＡＮ（Controller Area Network）とアクセスすることにより、カーナビゲーション装置あるいはカーオーディオ装置などにドライバへの報知を行わせるようにしてもよい。これらのコントローラが有する無線通信機能に対して、インターネット４５を含む無線通信ネットワークを介してアクセスすればよい。自動車やバイクなどの移動体の運転中には、報知情報を連絡することが必要であっても、携帯電話などの着信ができない。そこで、移動体のコントローラに対して報知情報を送るようにすることで、携帯電話に出られないときであっても報知が可能となる。
【００２７】
ＣＰＵ２２は、外部から点検信号が入力されたら、複数の報知情報が入力されていないときであっても擬似的に報知情報の入力があったときの処理を実行する。点検信号は、例えばＬＡＮ４６を通じて入力可能とされた所定の信号である。これにより防災訓練に合わせたシステム点検などを行うことができる。予め定めた日時が到来したら内部で自動的に点検信号を発するプログラムを備えて、防災訓練の日程に合わせてスケジュールを設定してもよい。
【００２８】
図３は、本発明の実施の形態の変形例にかかる報知装置を示すブロック図である。変形例にかかるコントローラ１２０は、リモコン１６０と無線接続するＵＳＢインターフェース２７と、スピーカ７１およびインターホン３９と接続する音声出力端子を備えている点を除き、コントローラ２０と同じである。リモコン１６０は、テレビ６８、照明器具６９、およびオーディオ７０を操作可能である。ＵＳＢインターフェース２７により汎用性を高めることができ、音声出力用の専用端子を設けることで利便性を高めることができる。
【符号の説明】
【００２９】
３１  コントローラ、Ｉ／Ｏ０１〜Ｉ／Ｏ１６  入出力ポート、２０  コントローラ、２２  ＣＰＵ、２４  記憶部、２５  ＥＴＨＥＲＮＥＴ、２６  表示装置、２７  ＵＳＢインターフェース、３１  ＨＥＭＳコントローラ、３２  緊急地震速報、３３  サーバ、３４  サーバ、３５  ガス感知器、３６  火災報知機、３７  侵入警報機、３８  呼出用ボタン、３９  インターホン、４０  介護機器、４１  雨感知器、４２  携帯電話、４３  固定電話、４４  漏電警報機、４５  インターネット、４６  ＬＡＮ、４７  モデム、６１  携帯電話、６２  移動体、６３  モデム、６４  サーバ、６５  指定電話機、６８  テレビ、６９  照明器具、７０  オーディオ、７１  スピーカ、７２  警報機、７３  スプリンクラー、１２０  ＨＥＭＳコントローラ、１６０  リモコン
【図１】
2015144388.tif 000003
【図２】
2015144388.tif 000004
【図３】
2015144388.tif 000005